(57)【要約】【課題】車椅子に使用した場合に身体の不自由な人の車椅子での姿勢を矯正維持でき、また保管や輸送などの際には容易に積み重ね可能で、しかも製造が容易である座布団を提供する。【解決手段】弾性を有する本体部１ａを備える座布団であって、本体部１ａの上面は平面状で、上面視において、大腿部載置領域２と臀部載置領域３とが前後方向に隣接して設けられ、臀部載置領域３に切り込み４が設けられ、切り込み４の上下方向の深さが本体部１ａの上下方向の厚みよりも浅く、上面視において、本体部１ａの臀部載置領域３の後側及び左右両側には切り込み４のない後縁部６，左縁部５ｂ，右縁部５ａが形成されている。【選択図】図１
0003219498.tif 000002
【実用新案登録請求の範囲】
【請求項１】
弾性を有する本体部を備える座布団であって、
前記本体部の上面は平面状で、
上面視において、大腿部載置領域と臀部載置領域とが前後方向に隣接して設けられ、
前記臀部載置領域に切り込み及び溝の少なくとも一方が設けられ、
前記の切り込み又は溝の上下方向の深さが前記本体部の上下方向の厚みよりも浅く、
上面視において、前記本体部の前記臀部載置領域の後側及び左右両側には前記の切り込み及び溝のない縁部が形成されている
ことを特徴とする座布団。
【請求項２】
前記の切り込み又は溝が線状で、前後方向に所定間隔で複数形成されている請求項１記載の座布団。
【請求項３】
前記の切り込み又は溝が線状で、左右方向に連続的又は断続的に形成されている請求項１又は２に記載の座布団。
【請求項４】
前記本体部が積層構造を有し、前記積層構造を構成する少なくとも１層において前記の切り込み又は溝が上下方向に貫通して形成されている請求項１〜３のいずれかに記載の座布団。
【請求項５】
前記本体部の最上層のＪＩＳ  Ｋ６４００−２  Ａ法に準拠した４０％圧縮硬さが最下層の４０％圧縮硬さよりも小さい請求項４記載の座布団。
【請求項６】
前記本体部を収納する外カバーをさらに備え、
前記外カバーは通気性又は防水性を有すると共に、前記外カバーの側面に、側面外周長の半分以上の長さ線ファスナーが連続して設けられて開閉可能とされている請求項１〜５のいずれかに記載の座布団。
【請求項７】
前記本体部を収納した状態で前記外カバーに収納される内カバーをさらに有し、
前記内カバーは網目状とされている請求項６記載の座布団。
【考案の詳細な説明】
【技術分野】
【０００１】
本考案は座布団に関し、より詳細には、車椅子用として好適に使用される座布団に関するものである。
【背景技術】
【０００２】
身体の不自由な人が車椅子に座った場合、背骨が直立となる状態を独力で維持できないことがある。例えば、前屈みの姿勢となったり、反対に臀部が前方にズレて仰向け姿勢となることがある。また、身体が左右方向に傾いた姿勢となることもある。加えて、車椅子に長時間座っていると仙骨や座骨に高い圧力が加わり褥瘡が生じるおそれがある。
【０００３】
そこで車椅子の座部に座布団を敷いてこのような問題を軽減することが提案されている。例えば、特許文献１，２では臀部載置部よりも大腿部載置部を高くした座布団が提案されており、このような座布団によれば、身体の不自由な人が車椅子に座った際に大腿部が上方に上がって、前屈みになるのが防止されると同時に臀部が前方にズレるのも防止され仰向け姿勢にもならない旨記載されている。
【先行技術文献】
【特許文献】
【０００４】
【特許文献１】特開２００３−７０８４４号公報
【特許文献２】実用新案登録第３１１７９１７号
【考案の概要】
【考案が解決しようとする課題】
【０００５】
前記提案の座布団によれば、身体の不自由な人の車椅子での姿勢をある程度矯正維持することはできると考えられるが、座布団の外形が凹凸形状であるため積み重ねての保管や輸送などに向いておらず、また製造作業が煩雑になると考えられる。
【０００６】
本考案はこのような課題に鑑みてなされたものであり、その目的は、車椅子に使用した場合には身体の不自由な人の車椅子での姿勢を矯正維持でき、また保管や輸送などの際には容易に積み重ね可能で、しかも製造が容易である座布団を提供することにある。
【課題を解決するための手段】
【０００７】
前記目的を達成する本考案に係る座布団は、弾性を有する本体部を備える座布団であって、前記本体部の上面は平面状で、上面視において、大腿部載置領域と臀部載置領域とが前後方向に隣接して設けられ、前記臀部載置領域に切り込み及び溝の少なくとも一方が設けられ、前記の切り込み又は溝の上下方向の深さが前記本体部の上下方向の厚みよりも浅く、上面視において、前記本体部の前記臀部載置領域の後側及び左右両側には前記の切り込み及び溝のない縁部が形成されていることを特徴とする。
【０００８】
前記構成の座布団において、前記の切り込み又は溝を線状とし、前後方向に所定間隔で複数形成する構成としてもよい。
【０００９】
また前記構成の座布団において、前記の切り込み又は溝を線状とし、左右方向に連続的又は断続的に形成する構成としてもよい。
【００１０】
また前記構成の座布団において、前記本体部が積層構造を有し、前記積層構造を構成する少なくとも１層において前記の切り込み又は溝が上下方向に貫通して形成されている構成としてもよい。
【００１１】
また前記構成の座布団において、前記本体部の最上層のＪＩＳ  Ｋ６４００−２  Ａ法に準拠した４０％圧縮硬さＨｄ（Ｎ）が最下層の４０％圧縮硬さＨｄ（Ｎ）よりも小さい構成としてもよい。
【００１２】
また前記構成の座布団において、前記本体部を収納する外カバーをさらに備え、前記外カバーは通気性又は防水性を有すると共に、前記外カバーの側面に、側面外周長の半分以上の長さ線ファスナーが連続して設けられて開閉可能とされた構成としてもよい。
【００１３】
また前記構成の座布団において、前記本体部を収納した状態で前記外カバーに収納される内カバーをさらに有し、前記内カバーは網目状である構成としてもよい。
【考案の効果】
【００１４】
本考案の座布団によれば、臀部載置領域に形成された切り込みや溝によって、人が座ると臀部載置領域が大腿部載置領域よりも沈み込みが大きくなる。その結果、大腿部載置領域が臀部載置領域よりも相対的に高くなって、前屈みになるのが抑制されると同時に臀部が前方にズレるのも抑制され仰向け姿勢にもならず、車椅子に使用した場合には身体の不自由な人の車椅子での姿勢を矯正維持できる。また本体部の上面が平面状であるので不使用時の保管や輸送などの際には容易に積み重ねが可能となる。そしてまた臀部載置領域に切り込みや溝を形成すれば足りるので製造が従来のものに比べて容易となる。
【図面の簡単な説明】
【００１５】
【図１】本考案に係る座布団の一例を示す斜視図である。
【図２】図１に示す座布団に形成された切り込みの拡大図である。
【図３】図１に示す座布団のＡ−Ａ線断面図である。
【図４】本考案に係る座布団の他の例を示す斜視図である。
【図５】図４に示す座布団のＢ−Ｂ線断面図である。
【図６】本体部を内カバーと外カバーとに収納する場合の状態図である。
【考案を実施するための形態】
【００１６】
以下、本考案を実施例によってさらに詳しく説明するが本考案はこれらの例に何ら限定されるものではない。また本考案における前後方向、左右方向、上下方向は図に示す方向をいうものとする。
【００１７】
（第１実施形態）
（本体部）
図１に本考案に係る座布団の本体部の一例を示す斜視図を示す。図１に示す座布団の本体部１ａは、上下方向において上側から順に第１層１１、第２層１２から成る積層構造を有する。第１層１１及び第２層１２は平面視において同一の正方形状を有し、各々所定の上下方向厚みｄ１，ｄ２を有する。本実施形態の座布団は車椅子への使用を想定しているため、本体部１ａの前後方向及び左右方向の長さは４０ｃｍに設定し、上下方向の厚み（ｄ１＋ｄ２）は６ｃｍに設定した。なお、本体部１ａの平面視における形状は正方形状に限定されるものではなく、本考案の効果を奏する限りにおいて、長方形状や円形状、多角形状であっても構わない。
【００１８】
（第１層）
平面視において正方形状の第１層１１には前側に大腿部載置領域２が設けられ、大腿部載置領域２に隣接した後側に臀部載置領域３が設けられている。大腿部載置領域２は、第１層１１の前端から前後方向に所定長さを有し且つ左右方向の全体にわたる帯状の領域である。大腿部載置領域２の後端位置は、第１層１１の前後方向中央よりも前側に位置するのが好ましい。
【００１９】
臀部載置領域３は大腿部載置領域２に隣接して設けられ、臀部載置領域３の前端が大腿部載置領域２の後端と重なっている。臀部載置領域３の後端は本体部１ａの後端よりも前側に位置し、臀部載置領域３の後側には後縁部６が設けられている。また、臀部載置領域３の左右両端は本体部１ａの左右両端よりも内方に位置し、臀部載置領域３の左右両側には左縁部５ｂ及び右縁部５ａが設けられている。なお、大腿部載置領域２の後端と臀部載置領域３の前端との間に中間領域が設けられ、大腿部載置領域２と臀部載置領域３とが中間領域を隔てて隣接した構成であってもよい。
【００２０】
図１及び図２に示すように、臀部載置領域３には椀状に屈曲した切り込み４が前後方向及び左右方向に断続的に複数形成されている。具体的には、図２の拡大図に示すように、後側に窪んだ椀状の切り込み４ａが左右方向に所定間隔で形成された第１列Ｌ１と、前側に窪んだ椀状の切り込み４ｂが左右方向に第１列Ｌ１と同じ間隔で且つ当該間隔の半分ずらして形成された第２列Ｌ２とが、第１列Ｌ１の切り込み４ａの左右前端位置が、第２列Ｌ２の切り込み４ｂの左右後端位置よりも前方に位置するように前後方向に所定間隔をおいて配置され、この第１列Ｌ１と第２列Ｌ２とで構成される切り込み群Ｇｒが、前後方向に所定間隔で複数設けられている。切り込み４ａ及び切り込み４ｂは第１層１１を上下方向に貫通している。なお、切り込み４ａ及び切り込み４ｂは第１層１１の上下方向に貫通せず途中で留まっていてもよい。
【００２１】
臀部載置領域３の後側及び左右両側に設けられた後縁部６、左縁部５ｂ及び右縁部５ａには、切り込み４が形成されていない。後縁部６、左縁部５ｂ及び右縁部５ａが本考案の縁部を構成する。左縁部５ｂ及び右縁部５ａの前端部と大腿部載置領域２の後端の左右両端部とが接続し、左縁部５ｂ及び右縁部５ａの後端部と後縁部６の左右両端部とが接続している。すなわち、平面視において、大腿部載置領域２、後縁部６、左縁部５ｂ及び右縁部５ａは臀部載置領域３を囲むよう位置している。
【００２２】
後縁部６の前後方向の長さは３ｃｍ以上６ｃｍ以下の範囲が好ましい。また左縁部５ｂ及び右縁部５ａの左右方向の長さは３ｃｍ以上６ｃｍ以下の範囲が好ましい。後縁部６、左縁部５ｂ及び右縁部５ａの前後方向及び左右方向の長さをこのような範囲とすることによって、後述するように、座布団に座った人の左右方向の横倒れが抑制されると共に、骨盤の傾きが抑えられ着座姿勢が矯正される。
【００２３】
第１層１１は弾性を有する部材からなり一体成形されてなる。第１層１１の材質としては弾性を有するものであれば特に限定はないが、例えば軟質ポリウレタンフォーム、ポリエチレンフォーム、酢酸ビニル共重合体フォームなどの発泡体が挙げられる。これらの中でも軟質ポリウレタンフォームが好適に使用される。
【００２４】
第１層１１のＪＩＳ  Ｋ６４００−２  Ａ法に準拠した４０％圧縮硬さは、上下方向の厚みｄ１や第２層１２の圧縮硬さ等との関係から適宜決定すればよいが、第２層１２の４０％圧縮硬さよりも柔らかくするのが好ましい。第１層１１の４０％圧縮硬さとしては、通常、１２０Ｎ以上１８０Ｎ以下の範囲が好ましい。また、第１層１１の上下方向の厚みｄ１は、前記圧縮硬さなどとの関係から適宜決定すればよいが、第２層１２の上下方向の厚みｄ２以上とするのが好ましい。第１層１１の上下方向の厚みｄ１は、通常、２ｃｍ以上５ｃｍ以下の範囲が好ましい。
【００２５】
（第２層）
平面視において第１層１１と同一の正方形状で上下方向の厚みｄ２を有する第２層１２は弾性を有する部材からなる。第２層１２の材質としては、第１層１１と同様に、弾性を有するものであれば特に限定はないが、例えば軟質ポリウレタンフォーム、ポリエチレンフォーム、酢酸ビニル共重合体フォームなどの発泡体が挙げられる。これらの中でも軟質ポリウレタンフォームが好適に使用される。
【００２６】
第２層１２のＪＩＳ  Ｋ６４００−２  Ａ法に準拠した４０％圧縮硬さは、上下方向の厚みｄ２や第１層１１の圧縮硬さ等との関係から適宜決定すればよいが、第１層１１の４０％圧縮硬さよりも硬くするのが好ましい。第２層１２の４０％圧縮硬さは、通常、１９０Ｎ以上２５０Ｎ以下の範囲が好ましい。また、第２層１２の上下方向の厚みｄ２は、前記圧縮硬さなどとの関係から適宜決定すればよいが、第１層１１の上下方向の厚みｄ１よりも薄くするのが好ましい。第２層１２の上下方向の厚みｄ２は、通常、１ｃｍ以上４ｃｍ以下の範囲が好ましい。なお、本考案の座布団を車椅子に装着する場合には、装着安定性や使い勝手などの観点からは座布団の厚みは６ｃｍ以下とするの好ましく、本体部１ａの上下方向の厚みがこの範囲に収まるように第１層１１と第２層１２の上下方向の厚みｄ１，ｄ２を適宜定める。
【００２７】
第１層１１と第２層１２とは、接着剤や熱溶着など従来公知の手段によって接合される。なお、後述する外カバー８や内カバー９（図６に図示）に本体部１ａを収納する場合には、本体部１ａを構成する第１層１１と第２層１２とは接合せず単に積層した状態であっても構わないが、取り扱い易さなどの点からは外カバー８や内カバー９（図６に図示）に本体部１ａを収納する場合においても第１層１１と第２層１２とは接合されているのが好ましい。
【００２８】
以上のように臀部載置領域３に切り込み４が設けられていることによって、臀部載置領域３は大腿部載置領域２よりも押圧による変形が生じやすくなり、座布団に人が座ったときに臀部が大腿部よりも沈み込む。換言すると、大腿部が臀部よりも上方に持ち上げられた状態となり、座布団に座った人が前屈みの姿勢となることが抑制される。また臀部が前方にズレて仰向け姿勢となることも抑制される。さらには臀部載置領域３では臀部の圧力が分散されるので座り心地がよい。
【００２９】
また、臀部載置領域３の左右両側に設けられた左縁部５ｂ及び右縁部５ａは、座布団に人が座ったときに臀部載置領域３よりも沈み込みが少なく、臀部載置領域３の左右に壁状に存在し、座った人が左右方向に横倒れしないように支える働きを奏する。そしてまた、臀部載置領域３の後側の後縁部６は、左縁部５ｂ及び右縁部５ａと同様に、座布団に人が座ったときに臀部載置領域３よりも沈み込みが少なく、この後縁部６が人の仙骨を支えることにより、座った人の骨盤の傾きが抑えられ着座姿勢が矯正される。また弾性を有する後縁部６で仙骨が支えられるので仙骨周りの褥瘡の発生が抑制される。
【００３０】
（その他）
第１層１１に形成する切り込み４は、図１〜図３に示したものに限定されるものではなく、直線状や曲線状などであってもよく、また左右方向に連続的又は断続的であってもよい。本体部１ａは、第１層１１と第２層１２とを上下を逆に配置した形態であってもよい。
【００３１】
本体部１ａは２層構造に限定されるものではなく３層以上の構造であってもよい。また単層構造であってもよい。なお、本体部１ａが単層構造の場合には、切り込み４の上下方向の深さは本体部１ａの上下方向の厚みよりも浅く設定される。すなわち、切り込み４は本体部１ａを上下方向に貫通しない。また、本体部１ａが積層構造の場合、積層構造を構成する少なくとも１層に切り込み４が形成されていればよい。この場合、切り込み４は当該層を貫通していてもよいし、貫通していなくてもよい。
【００３２】
（第２実施形態）
図４及び図５に本考案に係る座布団の本体部の第２実施形態を示す。図４は本体部の斜視図であり、図５は図４のＢ−Ｂ線断面図である。
【００３３】
第２実施形態の本体部１ｂが第１実施形態の本体部１ａと異なる点は、第２実施形態の本体部１ｂでは切り込み４に代えて溝７が形成されている点である。溝７以外の構成については第１実施例の本体部１ａと同じであるので、それらの構成については図において同一の符号を用いると共にその説明は省略する。以下、本体部１ｂに形成される溝７について説明する。
【００３４】
臀部載置領域３には、直線状で左右方向に連続した溝７が、前後方向に所定間隔で複数設けられている。溝７は第１層１１を上下方向に貫通している。なお、溝７は第１層１１の上下方向に貫通せず途中で留まっていてもよい。溝７の前後方向の幅及び形成間隔は第１層１１の上下方向の厚みｄ１や圧縮硬さ等との関係から適宜決定すればよい。通常、溝７の前後方向の幅を広くし、溝７の前後方向の形成間隔を短くする程、人が座ったときの臀部載置領域３の沈み込みは大きくなる。
【００３５】
溝７は、図４及び図５に示したものに限定されるものではなく曲線状や屈曲線状などであってもよく、また左右方向に断続的であってもよい。また本体部１ｂは、第１層１１と第２層１２とを上下を逆に配置した形態であってもよい。
【００３６】
（カバー）
本考案に係る座布団は本体部１ａのみから構成されていてもよいが、本体部１ａの汚れや摩耗などを防止する観点からは、本体部１ａがカバーに収納された構成とするのが好ましい。図６に本体部１ａがカバーに収納された形態の一例を示す。
【００３７】
図６に示す本考案に係る座布団は、本体部１ａが、外側から順に外カバー８と内カバー９とに２重に収納された構成を有する。
【００３８】
外カバー８は本体部１ａと相似形状で本体部１ａよりも若干大きい内容積を有する直方体であって、右側面、前側面、左側面の上縁に沿って連続した線ファスナー８１を有する。換言すると、線ファスナー８１は、外カバー８の各々隣接する３つの側面を上縁で横断し、右側面の後端近傍から左側面の後端近傍まで連続して設けられている。そして線ファスナー８１には、線ファスナー８１の一方端部から反対側の端部に向かって線ファスナー８１のエレメントをかみ合わせながら移動するスライダー８２が設けられている。このスライダー８２を移動させることにより外カバー８の上面は開閉可能とされる。線ファスナー８１を全開状態にすると、外カバー８の上面が後側面の上縁付近を中心として後方に裏返すようにめくることが可能となる。
【００３９】
内カバー９は袋状で、本体部１ａを収納可能な容積を有し網目状の部材からなる。内カバー９には外カバー８と同様の構成の線ファスナー９１が設けられ、この線ファスナー９１のスライダー９２を移動させることによって内カバー９は開閉可能とされている。
【００４０】
ここで使用する線ファスナー８１，９１に特に限定はなく、従来公知の物を使用可能である。ただし、例えば、金属アレルギーや皮膚や血管の弱った高齢者の使用が想定される場合には樹脂製のスライダー８２，９２及びエレメントから構成される線ファスナー８１，９１が推奨される。
【００４１】
外カバー８の材質としては、本考案に係る座布団の用途などから適宜決定すればよく、例えば、介護用車椅子の座布団として使用する場合には防水性や清拭性に優れたポリウレタンやポリエステルなどの材質が好ましい。また、通常の座布団として使用する場合には通気性に優れた材質が好ましい。また外カバー８の下面側は、滑り防止のための表面加工が施されていてもよい。
【００４２】
図６に示すように、本体部１ａは内カバー９にまず収納される。そして本体部１ａを収納した内カバー９が外カバー８に収納される。このように本体部１ａを外カバー８と内カバー９とで２重に収納することによって、本体部１ａが汚れた場合に、本体部１ａを収納した内カバー９を外カバー８から取り出し、本体部１ａを内カバー９に収納した状態で回収し洗濯すればよく作業効率が向上する。なお、本体部１ａを外カバー８に直接収納させる形態であっても構わない。
【産業上の利用可能性】
【００４３】
本考案の座布団によれば、使用者が前屈みになるのが抑制されると同時に臀部が前方にズレるのも抑制され、車椅子に使用した場合には身体の不自由な人の車椅子での姿勢を矯正維持でき、また本体部の上面が平面状であるので不使用時の保管や輸送などの際には容易に積み重ねが可能となり有用である。
【符号の説明】
【００４４】
１ａ，１ｂ    本体部
２    大腿部載置領域
３    臀部載置領域
４，４ａ，４ｂ    切り込み
５ａ  右縁部
５ｂ  左縁部
６    後縁部
７    溝
８    外カバー
９    内カバー
１１    第１層
１２    第２層
Ｌ１    第１列
Ｌ２    第２列
Ｇｒ    切り込み群
８１，９１    線ファスナー
８２，８２    スライダー
【図１】
0003219498.tif 000003
【図２】
0003219498.tif 000004
【図３】
0003219498.tif 000005
【図４】
0003219498.tif 000006
【図５】
0003219498.tif 000007
【図６】
0003219498.tif 000008